(57)【特許請求の範囲】
【請求項１】
矩形板のサイドにボルト用のナット孔が形成されていると共に、上部に上下二段のジグザグ状に形成された位置決め用の孔を有し、下部に横に所望個数形成された小孔を有しているコイン通路用のベース板と、細長い板であって前記ナット孔に対応して横長孔が形成されていると共に前記上下二段の位置決め用の孔に填め込まれるビス用のネジ孔が上部に二個形成され、更に下部に前記小孔に選択的に填め込まれる突き出し部が形成されているコイン通路高さ用のスペイサと、前記ナット孔に対応して横長孔が形成されていると共に前記ビス頭部を填め込み上下に移動可能にする縦長孔が上部に形成され、更に前記突き出し部の窪みに填め込まれる突き出し部が下部に形成されているコイン通路用のカバー板とを備えていることを特徴としたコインのエスカレータ装置。
【発明の詳細な説明】
【０００１】
【発明の属する技術分野】
本発明はコインを一個ずつ一列に平らに並べて該コインを送り出すためのエスカレータ装置に関する。とくに本発明はコインを上方向に或いは横方向に一列に並べて移送するためのコインのエスカレータ装置に関する。本発明は具体的にはメダル貸出し機を含む自動販売機や通貨の両替機ならびにメダル使用のゲーム機などに使用されるコインのエスカレータ装置に関するものである。
【０００２】
なお本明細書の用語「コイン」には通貨である硬貨ならびにゲーム等に使用される小円板形のメダル・トークン・チップなどを含むことは勿論である。
【従来の技術】
たとえばコインのエスカレータ装置が本件出願人による特願平８−３５９６２１に開示されている。
図８は特願平８−３５９６２１に開示されているエスカレータ装置の概略的な斜面図である。
【０００３】
図８の１１は長い幅広の湾曲された金属製のベース板である。
このベース板１１の下端部１２は取り付けのために屈曲されている。
図８の左右の細長い弓形のものは一対のスペイサ１３、１４である。スペイサ１３，１４は樹脂製からなり湾曲する部分が最も厚くなるように形成されている。右のスペイサ１４の上方には小さな矩形の上スペイサ１５が取り付けられている。
左のスペイサ１３の上方にはやや長い上スペイサ１６が取り付けられている。
図８上方の逆Ｌ形のものはガイド板１７である。
小形円板体であるコインＭを図８において左方向に放出するためのものである。
【０００４】
図８の左右に一部分が鎖線で示されている湾曲した帯板形のものはやや幅広になる一対のカバー板１８ならびに１９である。
したがってベース板１１、スペイサ１３ならびに１４、カバー板１８ならびに１９によってコインＭの通路２０が形成されることになる。
【発明が解決しようとする課題】
しかしながら図８に示されるような従来のエスカレータ装置はコインＭの種類ごとに例えばベース板１１は複数種類が必要であった。
具体的に日本においては六種類のコイン外径に応じて六種類のベース板１１が必要であった。
【０００５】
言い換えると従来のエスカレータ装置はコインの種類ごとに異なった部品を揃えて置く必要があった。
本発明はコインの種類が異なっても同じ部品で適切なエスカレータ装置を組み立て出来るようにする目的から開発されたものである。
具体的には例えばコイン外径に応じて六種類のベース板が必要であったが本発明は此等を一種類のベース板にする目的から開発されたものである。
加えて本発明の他の目的は適用コインの変更があっても簡単に変更できるエスカレータ装置の提供にある。
【０００６】
本発明は、矩形板のサイドにボルト用のナット孔が形成されていると共に、上部に上下二段のジグザグ状に形成された位置決め用の孔を有し、下部に横に所望個数形成された小孔を有しているコイン通路用のベース板と、細長い板であって前記ナット孔に対応して横長孔が形成されていると共に前記上下二段の位置決め用の孔に填め込まれるビス用のネジ孔が上部に二個形成され、更に下部に前記小孔に選択的に填め込まれる突き出し部が形成されているコイン通路高さ用のスペイサと、前記ナット孔に対応して横長孔が形成されていると共に前記ビス頭部を填め込み上下に移動可能にする縦長孔が上部に形成され、更に前記突き出し部の窪みに填め込まれる突き出し部が下部に形成されているコイン通路用のカバー板とを備えていることを特徴としたコインのエスカレータ装置である。
【０００７】
また本発明は、前記複数個の位置決め用の孔がジグザグの二段に形成されていることを特徴としたコインのエスカレータ装置である。また本発明は、前記ビス用のネジ孔が二個形成されていることを特徴としたコインのエスカレータ装置である。
【発明の実施の形態】
以下に本発明を其の実施について添付の図面を参照しつつ説明する。図１は本発明による一実施例の使用状態を示す概略的な斜視図である。図２は図１の要部を分解して示す概略的な斜視図である。
【０００８】
図３は図２を拡大して示す一部分解の斜視図である。図４は図３を右サイドから見た概略的な断面図である。図５は図１の他の要部を分解して示す概略的な拡大斜視図である。図６は図５の使用例を示す二個の正面図である。図７は図１の第三の要部を分解して示す概略的な斜視図である。まず図１に基づいて本発明による実施例の使用状態を概略的に説明する。図１下方部のＨはホッパ装置である。
【０００９】
このホッパ装置Ｈは略じょうご形のタンクＴ内に多数のコイン（図示略）を収納して該コインを一個ずつ斜め上方に押し出す。
すなわち斜めに配置されたベース板Ｂの下にギア列をもつ電気モータ装置Ｅを取り付ける。
そして該電気モータ装置ＥによってタンクＴ内底のディスクＤを回転する。
そして当該回転するディスクＤの貫通孔（図示略）を介在して当該コインをベース板Ｂに沿って斜め上方に押し出してタンクＴの外側に放出する。
ホッパ装置Ｈから押し出されたコインはエスカレータ装置１０を介在して上方に移送される。
【００１０】
本発明による実施例のエスカレータ装置１０は大きく分けて湾曲部３０と平坦部５０と放出部７０とに分けることができる。
湾曲部３０はホッパ装置Ｈに接続される。平坦部５０は湾曲部３０に接続される。
放出部７０は平坦部５０に接続される。
平坦部５０は図２に示されるようにやや長い矩形のベース板５１を有する。
なおベース板５１の下端部５２は接続のために屈曲されている。
ベース板５１の両サイドにはそれぞれボルト（図示略）用のナット孔５３が複数個開口されている。
【００１１】
そしてベース板５１の上方両サイドには位置決め用の楕円孔５４が所望個数開口されている。
本実施例の場合はコインの種類を考慮して右サイドには二段で合計六個の楕円孔５４が開口されている。
さらにベース板５１の下方両サイドには位置決め用の小孔５５が所望個数開口されている。
本実施例の場合はコインの種類を考慮して右サイドには一段で合計六個の小孔５５が連続して開口されている。
【００１２】
矩形のベース板５１の右サイドには細長いスペイサ５６が位置決めされる。
すなわちスペイサ５６の上方に形成されたネジ孔５７に螺着貫通されるビス５８の先端部が所望の楕円孔５４に嵌め込まれる。
そしてスペイサ５６の下方に形成された突き出し部５９が所望の小孔５５に填め込まれて位置決めされる。
なおスペイサ５６にはネジ孔５７が二個形成されると共に複数個のナット孔５３に対応して複数個の横長孔６０がそれぞれ形成されている。
またスペイサ５６の中央には固定用のネジ孔６１が形成されている。
【００１３】
やや細長いカバー板６３はスペイサ５６の上に位置決めされる。すなわちカバー板６３の上方に形成された縦長孔６４内に螺着されたビス５８の頭部が嵌め込まれる（図３を参照）。そして更にカバー板６３の下方に形成された突き出し部１６４が突き出し部５９の窪みに嵌め込まれて位置決めされる（図４を参照）。なおカバー板６３にも複数個のナット孔５３に対応して複数個の横長孔６５がそれぞれ形成されている。またカバー板６３の中央には固定用の孔６６が形成されている。
【００１４】
かくして固定用のビス６７（図３を参照）がネジ孔６６ならびに６１に螺着されるとカバー板６３とスペイサ５６とが固定される
さらにボルト（図示略）が横長孔６５ならびに６０に挿入されてナット孔５３に螺着されると図１に示されるように板状の平坦部５０になる。
なお平坦部５０の左サイド部については分解図が示されていないが上述とほぼ同様にしてベース板５１の左サイドに細いスペイサ６２が位置決めされる。
すなわちスペイサ６２の上方に形成された突き出し部（図示略）が楕円孔（図示略）に嵌め込まれる。
【００１５】
そして更にスベイサ６２の下方に形成された突き出し部（図示略）が小孔（図示略）に嵌め込まれて位置決めされる。
なおスベイサ６２には複数個のナット孔（図示略）に対応して複数個の円孔（図示略）がそれぞれ形成されている。
そして上述とほぼ同様にして細長いカバー板６８はスペイサ６２の上に位置決めされて固定される。
すなわちカバー板６８には複数個のナット孔（図示略）に対応して複数個の円孔６９がそれぞれ形成されている。
【００１６】
そしてボルト（図示略））が各円孔６９に挿入されてナット孔（図示略）に螺着されると図面に示されるようにベース板５１に一体的に取り付けられる。
放出部７０は図５に示されているように矩形のベース板７１を有する。
なおベース板７１の下端部７２は接続のために屈曲されている。
ベース板７１の対向する角部にはボルトＴ用のナット孔７３がそれぞれ開口されている。
そしてベース板７１の両サイド適所には位置決め用の小孔７５が所望個数開口されている。
【００１７】
またベース板７１の右サイドの下部にはコインの六種類を考慮して斜め方向で計六個の小孔７５が連続して開口されている。
なお本実施例の場合、コインの放出方向を考慮して左サイドの中央には縦方向で計五個の小孔７５が連続して開口されている。
矩形ベース板７１の左サイドにはコイン・ガイド用の小さいスペイサ７６が位置決めされる。
すなわちスペイサ７６の上方に形成された突き出し部７９が例えば連続する最も下の小孔７５に嵌め込まれる。
【００１８】
そしてスペイサ７６に形成された縦長孔８０がナット孔７３に合わせられて位置決めされる。
ほぼ同様にしてベース板７１の右サイドにガイド用の大きいスペイサ８２が位置決めされる。
すなわちスベイサ８２の下方に形成された突き出し部７９が連続する最も下の小孔７５に嵌め込まれる。
そしてスペイサ８２の上部に斜めに連続して形成された小孔７５の最も上の小孔７５がナット孔７３に合わせられて位置決めされる。
【００１９】
かくして一対になるスペイサ７６ならびに８２の上に矩形のカバー板８３が位置決めされる。
すなわちカバー板８３の対向する各角部に形成された円孔８９内にそれぞれボルトＴを貫通する。
そして上方のボルトＴは大きなスペイサ８２の最も上の小孔７５に貫通されて上方のナット孔７３に螺着される。
さらに下方のボルトＴは小さなスペイサ７６の縦長孔８０に挿入されて下方のナット孔７３に螺着される。
【００２０】
この状態を正面から見た断面端面図が図６の（Ａ）に示されている。
そして当該放出部７０の使用例が図１の上方に示されている。
図６の（Ａ）はコインＭの外径が最大の場合を示し図６の（Ｂ）はコインＭの外径が最小の場合を示している。
図６（Ｂ）の場合は小さいスペイサ７６の上方に形成された突き出し部７９が連続する最も上の小孔７５に嵌め込まれる。
そして当該スペイサ７６に形成された縦長孔８０がナット孔７３に合わせられて位置決めされる。
【００２１】
ほぼ同様にして大きなスペイサ８２の下方に形成された突き出し部７９が斜めに連続する最も上の小孔７５に嵌め込まれる。
そして当該スペイサ８２の上部に斜めに連続して形成された小孔７５の最も下の小孔７５がナット孔７３に合わせられて位置決めされる。
さらに一対になるスベイサ７６ならびに８２の上に矩形のカバー板８３が位置決めされる。
すなわちカバー板８３の対向する各角部に形成された円孔８９内にそれぞれボルトＴを貫通する。
【００２２】
上方のボルトＴは大きなスペイサ８２の最も下の小孔７５に貫通されて上方のナット孔７３に螺着される。
下方のボルトＴは小さなスペイサ７６の縦長孔８０に挿入されて下方のナット孔７３に螺着される。
つぎに湾曲部３０は図７に示されるように矩形で長さ方向が湾曲されたベース板３１を有する。
なおベース板３１の下端部３２は接続のために加工されている。
ベース板３１の両サイドにはそれぞれボルト（図示略）用のナット孔３３が複数個開口されている。
【００２３】
そしてベース板３１の上方両サイドには位置決め用の楕円孔３４が所望個数開口されている。
本実施例の場合はコインの種類を考慮して右サイドには二段で合計六個の楕円孔３４が開口されている。
さらにペース板３１の下方両サイドには位置決め用の小孔３５が所望個数開口されている。
本実施例の場合はコインの種類を考慮して右サイドには一段で合計六個の小孔３５が連続して開口されている。
【００２４】
幅広のベース板３１の右サイドには細長いスペイサ３６が位置決めされる。
すなわちスペイサ３６の上方に形成されたネジ孔３７に螺着貫通されるビス３８の先端部が所望の楕円孔３４に嵌め込まれる。
そして更にスペイサ３６の下方に形成された突き出し部３９が所望の小孔３５に嵌め込まれて位置決めされる。
なおスペイサ３６にはネジ孔３７が二個形成されると共に複数個のナット孔３３に対応して複数個の横長孔４０がそれぞれ形成されている。
またスペイサ３６の中央には固定用のネジ孔４１が形成されている。
【００２５】
さらにスペイサ３６の下方には小孔３５が形成されている。
やや細長いカバー板４３はスペイサ３６の上に位置決めされる。
すなわち図３の場合とほぼ同様にカバー板４３の上方に形成された縦長孔４４内に螺着されたビス３８の頭部が嵌め込まれる。
そして更にカバー板４３の下方に形成された突き出し部１４４がスペイサ３６の小孔３５に嵌め込まれて位置決めされる。
なおカバー板４３にも複数個のナット孔３３に対応して複数個の横長孔４５がそれぞれ形成されている。
【００２６】
またカバー板４３の中央下方には固定用のネジ孔４６が形成されている。
かくして固定用のビス（図示略）がネジ孔４６ならびに４１に螺着されると図３のようにカバー板４３とスペイサ３６とが固定されることになる。
さらに図示略のボルトが横長孔４５ならびに４０に挿入されてナット孔３３に螺着されると図１に示されるように板状の湾曲部３０になる。
なおコインの厚さによっては厚さの異なる種々の補助のスペイサ９を使用する。短い補助のスペイサ９はスペイサ３６ほぼ下半分に位置決めされる。
【００２７】
たとえば補助スペイサ９の下方に形成された突き出し部４がスペイサ３６の小孔３５に嵌め込まれる。
さらにカバー板４３の下方に形成された突き出し部１４４が補助スペイサ９の突き出し部４の窪みに嵌め込まれる。
そして補助スペイサ９の中央に形成されている固定用のネジ孔６がスペイサ３６のネジ孔４１に合わせられて位置決めされる。
なお突き出し部４を小孔にして小孔３５を上方向の突き出し部にしても良いことは勿論である。
【００２８】
この場合、突さ出し部１４４も補助スペイサ９の小孔に填め込まれることになる。
またスペイサ９にも複数個のナット孔３３に対応して複数個の横長孔５がそれぞれ形成されている。
かくして固定用のビス（図示略）がネジ孔４６、６、４１に螺着されるとカバー板４３と補助のスペイサ９とスペイサ３６とが固定されることになる。
さらに図示略のボルトが横長孔４５、５、４０に挿入されてナット孔３３に螺着されると図１に示されるように板状の湾曲部３０になる。
【００２９】
また湾曲部３０の左サイド部については分解図が示されていないが上述とほぼ同様にしてベース板３１の左サイドに細いスペイサ（図示略）が位置決めされる。すなわちスペイサの上方に形成された突き出し部（図示略）が楕円孔（図示略）に嵌め込まれる。
そして更にスペイサの下方に形成された突き出し部（図示略）が小孔（図示略）に嵌め込まれて位置決めされる。
なおスペイサには複数個のナット孔（図示略）に対応して複数個の円孔（図示略）がそれぞれ形成されている。
【００３０】
そして、上述とほぼ同様にして細長いカバー板４８はスベイサの上に位置決めされて固定される。すなわち、カバー板４８には複数個のナット孔（図示略）に対応して複数個の円孔４９がそれぞれ形成されている。そして、図示略のボルトが各円孔４９に挿入されて上述とほぼ同様にしてナット孔（図示略）に螺着されると図面に示されるようにベース板３１に一体になる。
【００３１】
上述の構成からなる本実施例は例えば図１に示されるようにホッパ装置Ｈの斜めベース板Ｂの上端に下端部３２を介在して湾曲部３０が取り付けられる。
当該湾曲部３０の上端に下端部５２を介在して平坦部５０が取り付けられる。
さらに当該平坦部５０の上端に下端部７２を介在して放出部７０が取り付けられてホッパ装置Ｈにエスカレータ装置１０が組み立てられる。
この結果、図１に示されるようにベース板Ｂから上方に伸びるコインの通路Ｐが形成されることになる。
なお図１下方右の長いＳ形のものは補強用のフレームＦである。
【００３２】
このフレームＦは一端がホッパ装置Ｈに固定され他端がエスカレータ装置１０に固定されて全体を補強している。
【発明の効果】
以上のように本発明は位置決め用の楕円孔３４，５４ならびに小孔３５，５５をそれぞれ複数個形成することによって種々のコイン外径に対応できる。
言い換えると本発明は適用コインを変更しても当該コインの外径に簡単に対応できることになる。
【００３３】
とくに本発明は突起を楕円孔に挿入する構造にしたため位置決めが極めて簡単な作業で行えることになる。
また本発明は突起を楕円孔に挿入する構造にしたためエスカレータ装置の湾曲部を構成する部品加工が極めて容易になった。
具体的には本発明によると例えばコイン外径に応じて六種類のベース板が必要であったが一種類のベース板で良いことになった。
加えて本発明を使用すると装置部品の製造行程を低減できると共に装置の組み立て作業を少なくできるという大きな効果が得られる。
【図面の簡単な説明】
【図１】図１は本発明による一実施例の使用状態を示す概略的な斜視図である。
【図２】図２は図１の要部を分解して示す概略的な斜視図である。
【図３】図３は図２を拡大して示す一部分解の斜視図である。
【図４】図４は図３を右サイドから見た概略的な断面図である。
【図５】図５は図１の他の要部を分解して示す概略的な拡大斜視図である。
【図６】図６は図５の使用例を示す二個の正面図である。
【図７】図７は図１の第三の要部を分解して示す概略的な斜視図である。
【図８】図８は従来例を示す斜視図である。
【図１】
0004143734.tif 000002
【図２】
0004143734.tif 000003
【図３】
0004143734.tif 000004
【図４】
0004143734.tif 000005
【図５】
0004143734.tif 000006
【図６】
0004143734.tif 000007
【図７】
0004143734.tif 000008
【図８】
0004143734.tif 000009